(57)【要約】【課題】  黒体輻射を利用した製造法である。  活性水素水にテラヘルツ波を加えた人間にやさしい活性水素水である。黒色トルマリンとブラックシリカを混合して問題を解決した。【解決手段】  石英ガラス瓶に入れたトルマリンとブラックシリカの混合石のなかに飲料水を充分に入れ、両側面から赤外線ＬＥＤを照射して、活性水素水とテラヘルツ波吸収水の合成水を製造する装置である。【選択図】図１
2017170416.tif 000002
【特許請求の範囲】
【請求項１】
遠赤外線ＬＥＤを光源として、トルマリンとブラックシリカに水中で照射し、活性水素水とテラヘルツ波吸収水の合成水を製造する特徴を持つ活性水素水発生器
【請求項２】
赤外線ＬＥＤ（４００ｎｍ〜３，０００ｎｍ）を光源として、トルマリンとブラックシリカに水中で照射し、活性水素水とテラヘルツ波吸収水の合成水を製造する特徴を持つ活性水素水発生器
【請求項３】
ＬＥＤ（フイリップＬＥＤ「Ｇｒｅｅｎ  Ｐｏｗｅｒ  ＬＥＤ」シーシーエス株式会社同等品）を光源として、トルマリンとブラックシリカに水中で照射し、活性水素水とテラヘルツ波吸収水の合成水を製造する特徴を持つ活性水素水発生器
【発明の詳細な説明】
【技術分野】
【０００１】本発明は、飲料水を石英ガラス瓶に入れ、その中にすでに入れてあるブラックシリカとトルマリンにＬＥＤを光源とした赤外線を水中に照射しる。  黒体輻射を利用してブラックシリカからテラヘルツ波をトルマリンから電気分解をした活性水素水を作るものである。
【背景技術】
【０００２】従来、トルマリンやブラックシリカを単独に水に入れて各々の機能（効用）を発揮させてきた。  さらに、水に入れないで単独でパワーストーンとして利用してきた。  また全ての物体は赤外線エネルギーを放射していますが、外部からの赤外線エネルギーも吸収、反射、透過をしておりエネルギー保存則になっている。  そのため、本発明では赤外線ＬＥＤをトルマリンやブラックシリカに水中で照射して放射、吸収（キルヒホフの放射法則）を繰り替えし水中に活性水素水とテラヘルツ波を入れ込んだ。
【先行技術文献】
【特許文献】
【０００３】このようなテラヘルツ波を持った活性水素水はいまだ製造されていない。
今回が初めての試みである。
【発明の概要】
【発明が解決しようとする課題】
【０００４】そのために次のような問題点があった。
（イ）  トルマリンは水中で電子を放電し軽い電気分解を起こす。  水の分子は水素イオンと水酸イオンに分離する。水素イオンは放電される電子と結合、中和して水素原子となり水素ガスとして空気中に放出される。
これがアルカリ化に向かう事を示す。また水酸イオン（マイナスイオン）は周囲の水分子と結合してヒドロキシルイオンと呼ばれる界面活性物質に変化しこのヒドロキシルイオンが単分子膜を作りそれによって、界面活性効果が発生する。トルマリンは以上のような反応を起こすが微弱であるがため生産性が悪いという問題点があった。そのためマイナスイオンを多く出すブラックシリカと混合して赤外線ＬＥＤを照射することで解決した。
トルマリン      ２，２５０個／ｃｃ
ブラックシリカ  ２，４６９個／ｃｃ
（ロ）  ブラックシリカは天然ミネラルを多く含み、遠赤外線をはじめとするいろいろな活性波動を放射し発散するのが一番の特徴である。  太陽エネルギーを吸収し、半永久的に放射するという事を繰り返す。
近赤外線（０．７８〜２．５μｍ）中赤外線（２．５〜４．０μｍ）遠赤外線（４．０〜１、０００μｍ）のうちブラックシリカは６．０μｍ〜１４μｍの範囲にピークを持つ。太陽が放出する光線のうち地上に達する遠赤外線は３．５μｍと１０μｍを頂点とする２つの波長体です。
水の遠赤外線吸収スペクトルは３．０μｍと６〜１２μｍ、動植物の吸収スペクトルは６〜１２μｍ、人間の体温は３６．５℃で波長に換算すると約１０μｍ、である。  人間の体を芯から温めて自然治癒力を高め人間の健康の増進に役立つ水には最低３．０μｍのテラヘルツ波が照射されなければならない。  赤外線ＬＥＤを直接照射してもテラヘルツ波はできないので、ガラス容器を石英ガラスにしてトルマリンを入れ入射する光励起を利用する方法を採用した。
【課題を解決するための手段】
【０００５】活性水素水はトルマリンとブラックシリカのマイナス電極に蓄えられた電子を水中に放出して電気分解をし、水の分子は水素イオンと水酸イオンに分離する。その際プラスイオンはトルマリン鉱石のマイナス電極に引き付けられそこから放電される電子と結合、中和して水素原子となり水素ガスとして空気中に放出される。これがアルカリ化に向かう事を示す。
（ＰＨ７．５に近づく）一方マイナスイオンは周囲の水分子と結合してヒドロキシルイオンと呼ばれる界面活性物質に変化しこのヒドロキシルイオンが単分子膜を作りそれによって、界面活性効果が発生する。
これらの反応を促進さすために石英ガラス瓶に水を入れ、トルマリンとブラックシリカを混入して石英ガラス瓶側面、左右の外側からそれぞれ赤外線ＬＥＤ（最大光量  約１，０００μｍｏｌ−ｍ−２−ｓ−２）を照射する。
ヒドロキシンイオンとは分子構造から疎水基（水と油のような反発しあう物質同志を結びやすくする性質）と、親水基（周囲の水と結びつく性質）が結合した両親媒性物質でありもともと結合しにくい界面活性剤は生体内でもコレステロールの凝固や血管壁への付着を防いで動脈硬化を予防したり体液を弱アルカリ性に調整したり新陳代謝を活発にする役割を果たしている。
次に、水にテラヘルツ波を吸収させるのであるが、活性水素水と同様に石英ガラス瓶の中に水を入れ、トルマリンとブラックシリカを混入しておく。
そこに石英ガラス瓶の左右両外側から赤外線ＬＥＤを照射する。  ブラックシリカが持っているテラヘルツ波の遠赤外線を水に吸収させると同時に、赤外線ＬＥＤのエネルギーをブラックシリカが吸収する。（入射＝反射＋吸収＋透過  エネルギー保存則  放射＝吸収  キルヒホフの放射法則）
また、トルマリンも遠赤外線（５μｍ〜１，０００μｍ程度の電磁波）を出す。効率が落ちてくれば瓶から出して太陽に当てれば良い。
【発明の効果】
【０００６】（イ）  ヒドロキシルイオンがツボから人体に吸収されることから細胞が活性化され生体の持つ殺菌能力、抗菌能力がたかまる。
（ロ）  界面活性作用は大変おだやか。新しい皮膚は残したままで、古くなった皮膚だけ取り除く働きがある。
（ハ）  弱アルカリで酸化還元作用がある。
（ニ）  老化防止
（ホ）  遠赤外線効果
（ヘ）  人間のもつ諸機能を増進させる力や過酸化脂質を抑制する力、癌や白血病細胞を弱める作用など強い。
（ト）  胃腸の働き、安眠効果、夜尿防止、糖尿病の改善
【図面の簡単な説明】
【０００７】
【図１】  本発明の斜視図である。
【図２】  本発明の一部を切り欠いた側面図である。
【図３】  本発明の他の実施例を示した斜視図である。
【発明を実施するための形態】
【０００８】以下、本発明の実施の形態について説明する。
（イ）  石英ガラス瓶の中にトルマリンとブラックシリカを入れる。容積は瓶の容積を１００％とすると、トルマリン４０％  ブラックシリカ４０％  残り２０％は空白、飲料水は９０％
（ロ）  石英ガラスの両側面から赤外線ＬＥＤ（約１，０００μｍｏｌ‐ｍ−２−ｓ−２）を左右２面から内部に照射する。  その際透過損失を考えて瓶の奥行（厚さ）は３ｃｍとする。
（ハ）  石英ガラス瓶と赤外線ＬＥＤ２面を箱体に入れる。  これらを化粧した器に入れても良い。  当然内部は黒く塗り黒体輻射を考える。  トルマリンも黒色を使用する。
（二）  反応は微少なので約１０時間位通電する。
（ホ）  １０時間経ってから電源を切り、瓶を取出し内部の水をコップに入れて飲む。
【符号の説明】
【０００９】▲１▼  飲料水を入れる石英ガラス瓶
▲２▼  ＬＥＤ照射スイッチ  Ａ  （通電表示灯  通電時  青）
▲３▼  ＬＥＤ照射スイッチ  Ｂ  （通電表示灯  通電時  青）
▲４▼  ＬＥＤ及び石英ガラス瓶収納箱
▲５▼  赤外線ＬＥＤ  Ａ面
▲６▼  赤外線ＬＥＤ  Ｂ面
▲７▼  赤外線コントローラー
【図１】
2017170416.tif 000003
【図２】
2017170416.tif 000004
【図３】
2017170416.tif 000005